(57)【要約】      （修正有）【課題】構造が簡単で、操作とメンテナンスが便利で、高速に河道内のごみを設備の内部に回収でき、また河床のごみを整理でき、河道ゴミの処理効果を改善し、しかも作動を自動化された小型河道河床のごみ処理装置を提供する。【解決手段】ゴミ回収船１２を含み、前記ゴミ回収船内の分離空間１４に撹拌装置を設置し、分離空間の中の水溶液を絶えず撹拌することで分離空間の中の沈泥の沈殿を防止でき、分離空間の底壁の中には撹拌空間２０が設置され、撹拌空間の中には撹拌装置の回転方向を制御できる制御装置を設置する。動力空間の左側壁の中には排水空間が設置され、前記排水空間の中には排水系統が設置され、従って前記分離空間の中の水溶液を排出して前記小型河道河床のごみ処理装置を持続的に作動させることができる。【選択図】図１
2020196425.tif 000002
【特許請求の範囲】
【請求項１】
小型河道河床のごみ処理装置であって、ゴミ回収船を含み、前記ゴミ回収船の中には分離空間が設置され、
前記分離空間の中には撹拌装置が設置され、前記分離空間の底壁の中には撹拌空間が設置され、前記撹拌空間の中には前記撹拌装置の回転方向を制御できる制御装置が設置され、前記動力空間の左側壁の中には排水空間が設置され、前記排水空間の中には排水系統が設置され、
前記撹拌空間の右壁の中には動力空間が設置され、前記動力空間の右壁の中には減速空間が設置され、前記動力空間の中には前記小型河道河床のごみ処理装置の持続作動を駆動する動力系統が設置され、前記減速空間の中には減速機構が設置され、前記分離空間の内部の右壁の中にはゴミ空間が設置され、前記ゴミ空間において前記分離空間に近接した片側壁の中には延伸空間が設置され、前記延伸空間の上下両側の内壁の中には前記ゴミ空間と連通した上下対称の押し動かし空間が設置され、
前記分離板の中には河道のゴミを前記ゴミ空間の中に移すゴミ転移機構が設置され、前記ゴミ空間の中にはゴミ圧縮装置が設置され、前記ゴミ回収船の頂端には回転できるゴミ回収管が設置され、前記ゴミ回収管の中には河道河床のゴミを吸い込んで前記分離空間の中に排出するゴミ収集装置が設置され、
前記動力空間の中には前記小型河道河床のごみ処理装置を駆動して絶えず行進させる行進装置が設置されていることを特徴とする小型河道河床のごみ処理装置。
【請求項２】
前記ゴミ収集装置は前記ゴミ回収管の中に設置されたゴミ吸入ポンプが設置され、前記ゴミ回収管の中にはベルト空間が設置され、前記ベルト空間の中には前記ゴミ吸入ポンプと伝動可能に連結された駆動軸が設置され、前記ベルト空間の底壁の中にはゴミ吸入モータが設置され、前記駆動軸の底端が前記ゴミ吸入モータと伝動可能に連結され、
前記ベルト空間の底壁の中には引っ掛け取り空間が設置され、前記引っ掛け取り空間の中には縦向き軸が設置され、前記縦向き軸と前記駆動軸とが伝動ベルトによって動力を伝達し、前記縦向き軸の底端には吸入傘歯車が設置され、前記ゴミ回収管の中には七つの引っ掛け取り軸が円周方向に配列され、隣接した二つの前記引っ掛け取り軸がヒンジで繋がれ、前記引っ掛け取り軸の外壁には河床にくっついたゴミを引っ掛けて取り出す引っ掛け取り爪が設置され、前記引っ掛け取り軸のうち一つの前記引っ掛け取り軸の一端には前記引っ掛け取り空間の中に位置し且つ前記吸入傘歯車と噛み合った引っ掛け取り傘歯車が設置されていることを特徴とする請求項１に記載の小型河道河床のごみ処理装置。
【請求項３】
前記動力系統は前記動力空間の右壁の中に設置された動力機を含み、前記動力空間の中には動力軸が設置され、前記動力軸の右端が前記動力機と伝動可能に連結され、前記動力軸の左端には動力歯車が設置されていることを特徴とする請求項１に記載の小型河道河床のごみ処理装置。
【請求項４】
前記撹拌装置は前記分離空間の中に設置された撹拌軸を含み、前記撹拌軸の頂端には前記分離空間の中に位置する撹拌棒が設置され、
前記撹拌空間の中にはスライドできるスプライン軸がスライドできるように設置され、前記スプライン軸と前記撹拌軸とがスプラインにより連結され、前記スプライン軸の外壁には前記スプライン軸を逆方向へ回転連動させる逆方向傘歯車が設置され、前記スプライン軸の外壁には前記スプライン軸を正方向に回転連動させる正方向傘歯車が設置され、前記撹拌空間の中には伝動軸が設置され、前記伝動軸の左端には前記撹拌空間の中に位置し且つ前記正方向傘歯車と噛み合った撹拌傘歯車が設置され、且つ前記撹拌傘歯車は前記反方向傘歯車と噛み合うことができ、前記伝動軸の右端には前記動力空間の中に位置し且つ前記動力歯車と噛み合った伝動歯車が設置されていることを特徴とする請求項１に記載の小型河道河床のごみ処理装置。
【請求項５】
前記制御装置は前記スプライン軸の外壁に回転可能に設置されたスライド板を含み、前記スライド板と前記撹拌空間の頂壁との間には押圧ばねが弾性を持つように設置され、前記伝動軸の外壁には前記撹拌空間の中に設置されたウォームが設置され、前記撹拌空間の中には制御軸が設置され、前記制御軸の後端には前記ウォームと噛み合ったウォームホイールが設置され、前記制御軸の前端には前記スライド板と接触したカムが設置されていることを特徴とする請求項１に記載の小型河道河床のごみ処理装置。
【請求項６】
前記行進装置は前記動力空間の中に設置された推進軸を含み、前記推進軸の左端には前記ゴミ回収船の外壁の外部に位置するスクリュープロペラが設置され、
前記推進軸の右端には前記動力空間の中に位置する従動プーリが設置され、前記伝動軸の外壁には前記動力空間の中に位置する主動プーリが設置され、前記主動プーリと前記従動プーリとの間には動力ベルトが伝動可能に設置されていることを特徴とする請求項１に記載の小型河道河床のごみ処理装置。
【請求項７】
前記排水系統は前記排水空間の中に設置された排水ポンプを含み、前記排水ポンプと前記分離空間とが前記進水管により連通され、前記排水ポンプと前記小型河道河床のごみ処理装置の外部とが排水管により連通され、
前記排水空間の中には前記排水ポンプと伝動可能に連結された排水軸が設置され、前記排水軸の底端には前記排水空間の中に位置する排水傘歯車が設置され、前記推進軸の外壁には前記排水空間の中に位置し且つ前記排水傘歯車と噛み合った伝動傘歯車が設置されていることを特徴とする請求項１に記載の小型河道河床のごみ処理装置。
【請求項８】
前記減速機構は前記動力空間の中に設置された高速軸を含み、前記高速軸の左端には前記動力空間の中に設置され且つ前記伝動歯車と噛み合った減速歯車が設置され、前記高速軸の後端には前記減速空間の中に位置する太陽歯車が設置され、前記減速空間の中には低速軸が設置され、前記低速軸の左端には内リングギヤが設置され、前記内リングギヤと前記太陽歯車との間には遊星歯車が伝動可能に設置され、前記低速軸の右端には主動傘歯車が設置され、
前記ゴミ転移機構は前記減速空間の中に設置された転移軸が設置され、前記転移軸の底端には前記減速空間の中に位置し且つ前記主動傘歯車と噛み合った従動傘歯車が設置され、前記転移軸の頂端には転移棒が設置され、前記分離空間の中にはゴミと水を分離できる分離板が設置されていることを特徴とする請求項１に記載の小型河道河床のごみ処理装置。
【請求項９】
前記ゴミ圧縮装置は前記ゴミ空間の中にスライド可能に設置された圧縮板を含み、前記押し動かし空間の中には圧縮軸が設置され、前記圧縮軸の前後両端には対称となった回転盤が設置され、前記回転盤の外側端壁と前記圧縮板とが圧縮連結棒によりヒンジで繋がれ、前記圧縮軸の外壁には圧縮傘歯車が設置され、
前記延伸空間の中には延伸軸が設置され、前記延伸軸の上下両端には前記押し動かし空間に位置し且つ前記圧縮傘歯車と噛み合った延伸傘歯車が設置され、前記延伸軸の外壁には前記延伸空間の中に位置する従動歯車が設置され、前記転移軸の外壁には前記延伸空間の中に設置され且つ前記従動歯車と噛み合った主動歯車が設置されていることを特徴とする請求項１に記載の小型河道河床のごみ処理装置。
【発明の詳細な説明】
【技術分野】
【０００１】
本願発明は河道整理分野に関し、具体的には小型河道河床のごみ処理装置。
【背景技術】
【０００２】
社会の発展につれて、生態環境に対する要求もどんどん増えてゆき、しかし、都市と田舎の河道には常に大量なゴミが漂い、河道環境に厳重な影響を与える上に河道内の水質を汚染する。現在河道内のゴミ処理を人力で行うのはほとんどであるが、処理面積が小さく、効率が低く、しかも作業強度がひどい。現有の河道整理機械は効率が高いが、河道上のゴミが常に河道の河床にくっつくため整理しにくく、整理効果が望ましくない。従い、本願発明は河道河床のゴミを整理できる小型河道河床のごみ処理装置を設計する。
【先行技術文献】
【特許文献】
【０００３】
【特許文献１】中国特許出願公開第１０９１８３７５２号明細書
【発明の概要】
【発明が解決しようとする課題】
【０００４】
技術問題：
河道のごみ処理は効率が低下し、労働強度が大きく、しかも効果も望ましくない。
【課題を解決するための手段】
【０００５】
小型河道河床のごみ処理装置であって、ゴミ回収船を含み、前記ゴミ回収船の中には分離空間が設置され、前記分離空間の中には撹拌装置が設置され、従って前記分離空間の中の水溶液を絶えず撹拌することで前記分離空間の中の沈泥が沈殿することを防止でき、前記分離空間の底壁の中には撹拌空間が設置され、前記撹拌空間の中には前記撹拌装置の回転方向を制御できる制御装置が設置され、従って前記攪拌装置が一つの方向にしか回転しない時に前記分離空間の中の沈泥が四周に沈殿することを防止でき、前記動力空間の左側壁の中には排水空間が設置され、前記排水空間の中には排水系統が設置され、従って前記分離空間の中の水溶液を排出して前記小型河道河床のごみ処理装置を持続的に作動させることができ、前記撹拌空間の右壁の中には動力空間が設置され、前記動力空間の右壁の中には減速空間が設置され、前記動力空間の中には前記小型河道河床のごみ処理装置の持続作動を駆動する動力系統が設置され、前記減速空間の中には減速機構が設置され、従って前記動力系統から生じた動力によって回転速度を下げてトルクを上げることができ、前記分離空間の内部の右壁の中にはゴミ空間が設置され、前記ゴミ空間において前記分離空間に近接した片側壁の中には延伸空間が設置され、前記延伸空間の上下両側の内壁の中には前記ゴミ空間と連通した上下対称の押し動かし空間が設置され、前記分離板の中には河道のゴミを前記ゴミ空間の中に移すゴミ転移機構が設置され、前記ゴミ空間の中にはゴミ圧縮装置が設置され、従って前記ゴミ空間の中に移されたゴミを絶えず圧縮して前記ゴミ空間の空間利用率を上げることができ、前記ゴミ回収船の頂端には回転できるゴミ回収管が設置され、前記ゴミ回収管の中には河道河床のゴミを吸い込んで前記分離空間の中に排出するゴミ収集装置が設置され、前記動力空間の中には前記小型河道河床のごみ処理装置を駆動して絶えず行進させる行進装置が設置されている。
【０００６】
前記ゴミ収集装置は前記ゴミ回収管の中に設置されたゴミ吸入ポンプが設置され、前記ゴミ回収管の中にはベルト空間が設置され、前記ベルト空間の中には前記ゴミ吸入ポンプと伝動可能に連結された駆動軸が設置され、前記ベルト空間の底壁の中にはゴミ吸入モータが設置され、前記駆動軸の底端が前記ゴミ吸入モータと伝動可能に連結され、前記ベルト空間の底壁の中には引っ掛け取り空間が設置され、前記引っ掛け取り空間の中には縦向き軸が設置され、前記縦向き軸と前記駆動軸とが伝動ベルトによって動力を伝達し、前記縦向き軸の底端には吸入傘歯車が設置され、前記ゴミ回収管の中には七つの引っ掛け取り軸が円周方向に配列され、隣接した二つの前記引っ掛け取り軸がヒンジで繋がれ、前記引っ掛け取り軸の外壁には河床にくっついたゴミを引っ掛けて取り出す引っ掛け取り爪が設置され、また前記ゴミ回収管でゴミを前記分離空間の中に送り込み、前記引っ掛け取り軸のうち一つの前記引っ掛け取り軸の一端には前記引っ掛け取り空間の中に位置し且つ前記吸入傘歯車と噛み合った引っ掛け取り傘歯車が設置され、従って前記引っ掛け取り爪を回転連動させることができる。
【０００７】
前記動力系統は前記動力空間の右壁の中に設置された動力機を含み、前記動力空間の中には動力軸が設置され、前記動力軸の右端が前記動力機と伝動可能に連結され、従って前記動力軸を回転連動させることができ、前記動力軸の左端には動力歯車が設置されている。
【０００８】
前記撹拌装置は前記分離空間の中に設置された撹拌軸を含み、前記撹拌軸の頂端には前記分離空間の中に位置する撹拌棒が設置され、前記撹拌空間の中にはスライドできるスプライン軸がスライドできるように設置され、前記スプライン軸と前記撹拌軸とがスプラインにより連結され、前記スプライン軸の外壁には前記スプライン軸を逆方向へ回転連動させる逆方向傘歯車が設置され、前記スプライン軸の外壁には前記スプライン軸を正方向に回転連動させる正方向傘歯車が設置され、前記撹拌空間の中には伝動軸が設置され、前記伝動軸の左端には前記撹拌空間の中に位置し且つ前記正方向傘歯車と噛み合った撹拌傘歯車が設置され、且つ前記撹拌傘歯車は前記反方向傘歯車と噛み合うことができ、前記伝動軸の右端には前記動力空間の中に位置し且つ前記動力歯車と噛み合った伝動歯車が設置され、従って前記伝動軸を回転連動させることができる。
【０００９】
前記制御装置は前記スプライン軸の外壁に回転可能に設置されたスライド板を含み、前記スライド板と前記撹拌空間の頂壁との間には押圧ばねが弾性を持つように設置され、従って前記スプライン軸を上下にスライド連動させることができ、従って前記撹拌傘歯車と前記逆方向傘歯車または前記正方向傘歯車との噛合を切り替え、前記伝動軸の外壁には前記撹拌空間の中に設置されたウォームが設置され、前記撹拌空間の中には制御軸が設置され、前記制御軸の後端には前記ウォームと噛み合ったウォームホイールが設置され、前記制御軸の前端には前記スライド板と接触したカムが設置され、従って前記スライド板を上下にスライド連動させることができる。
【００１０】
前記行進装置は前記動力空間の中に設置された推進軸を含み、前記推進軸の左端には前記ゴミ回収船の外壁の外部に位置するスクリュープロペラが設置され、従って前記小型河道河床のごみ処理装置の行進を押し動かすことができ、前記推進軸の右端には前記動力空間の中に位置する従動プーリが設置され、前記伝動軸の外壁には前記動力空間の中に位置する主動プーリが設置され、前記主動プーリと前記従動プーリとの間には動力ベルトが伝動可能に設置され、従って前記推進軸を回転連動させることができる。
【００１１】
前記排水系統は前記排水空間の中に設置された排水ポンプを含み、前記排水ポンプと前記分離空間とが前記進水管により連通され、前記排水ポンプと前記小型河道河床のごみ処理装置の外部とが排水管により連通され、従って前記分離空間の中の水を前記小型河道河床のごみ処理装置の外部まで排出でき、前記排水空間の中には前記排水ポンプと伝動可能に連結された排水軸が設置され、前記排水軸の底端には前記排水空間の中に位置する排水傘歯車が設置され、前記推進軸の外壁には前記排水空間の中に位置し且つ前記排水傘歯車と噛み合った伝動傘歯車が設置され、従って前記排水ポンプの作動を駆動できる。
【００１２】
前記減速機構は前記動力空間の中に設置された高速軸を含み、前記高速軸の左端には前記動力空間の中に設置され且つ前記伝動歯車と噛み合った減速歯車が設置され、前記高速軸の後端には前記減速空間の中に位置する太陽歯車が設置され、前記減速空間の中には低速軸が設置され、前記低速軸の左端には内リングギヤが設置され、前記内リングギヤと前記太陽歯車との間には遊星歯車が伝動可能に設置され、前記低速軸の右端には主動傘歯車が設置され、
前記ゴミ転移機構は前記減速空間の中に設置された転移軸が設置され、前記転移軸の底端には前記減速空間の中に位置し且つ前記主動傘歯車と噛み合った従動傘歯車が設置され、従って前記転移軸の回転を駆動でき、前記転移軸の頂端には転移棒が設置され、前記分離空間の中にはゴミと水を分離できる分離板が設置され、従って前記転移棒は前記分離空間の中のゴミを前記ゴミ空間の中に移すことができる。
【００１３】
前記ゴミ圧縮装置は前記ゴミ空間の中にスライド可能に設置された圧縮板を含み、前記押し動かし空間の中には圧縮軸が設置され、前記圧縮軸の前後両端には対称となった回転盤が設置され、前記回転盤の外側端壁と前記圧縮板とが圧縮連結棒によりヒンジで繋がれ、従って前記圧縮板をスライド連動させることができ、従って前記ゴミ空間の中のゴミを絶えず圧縮し、前記圧縮軸の外壁には圧縮傘歯車が設置され、前記延伸空間の中には延伸軸が設置され、前記延伸軸の上下両端には前記押し動かし空間に位置し且つ前記圧縮傘歯車と噛み合った延伸傘歯車が設置され、従って前記圧縮軸を回転連動させることができ、前記延伸軸の外壁には前記延伸空間の中に位置する従動歯車が設置され、前記転移軸の外壁には前記延伸空間の中に設置され且つ前記従動歯車と噛み合った主動歯車が設置され、従って前記延伸軸の回転を駆動できる。
【発明の効果】
【００１４】
本願発明の有益効果は：本願発明は構造が簡単で、操作とメンテナンスが便利で、本願発明の設備は高速に河道内のごみを設備の内部に回収でき、また河床にくっついたごみをきれいに整理でき、河道ゴミの処理効果を改善し、しかも本願発明は作動を自動化され、作動途中に作業員の操作をいらず、作用員の仕事強度を下げ、河道ゴミの処理効率を上げ、使用価値と宣伝価値に優れる。
【図面の簡単な説明】
【００１５】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の小型河道河床のごみ処理装置の全体構成図
【図２】図２は図１におけるＡ―Ａの構成図
【図３】図３は図１におけるＢ―Ｂの構成図
【図４】図４は図２におけるＣ―Ｃの構成図
【図５】図５は図１におけるＤの構成図
【図６】図６は図１におけるＥの構成図
【発明を実施するための形態】
【００１７】
本願発明は小型河道河床のごみ処理装置に関し、主に都市と田舎の小型河道内のごみ処理作業に適用され、下記に明細書図面を合わせて本願発明を更に説明する。
小型河道河床のごみ処理装置であって、ゴミ回収船１２を含み、前記ゴミ回収船１２の中には分離空間１４が設置され、前記分離空間１４の中には撹拌装置１０３が設置され、従って前記分離空間１４の中の水溶液を絶えず撹拌することで前記分離空間１４の中の沈泥が沈殿することを防止でき、前記分離空間１４の底壁の中には撹拌空間２０が設置され、前記撹拌空間２０の中には前記撹拌装置１０３の回転方向を制御できる制御装置１０４が設置され、従って前記攪拌装置１０３が一つの方向にしか回転しない時に前記分離空間１４の中の沈泥が四周に沈殿することを防止でき、前記動力空間２１の左側壁の中には排水空間１９が設置され、前記排水空間１９の中には排水系統１０６が設置され、従って前記分離空間１４の中の水溶液を排出して前記小型河道河床のごみ処理装置を持続的に作動させることができ、前記撹拌空間２０の右壁の中には動力空間２１が設置され、前記動力空間２１の右壁の中には減速空間２２が設置され、前記動力空間２１の中には前記小型河道河床のごみ処理装置の持続作動を駆動する動力系統１０２が設置され、前記減速空間２２の中には減速機構１０７が設置され、従って前記動力系統１０２から生じた動力によって回転速度を下げてトルクを上げることができ、前記分離空間１４の内部の右壁の中にはゴミ空間２３が設置され、前記ゴミ空間２３において前記分離空間１４に近接した片側壁の中には延伸空間３５が設置され、前記延伸空間３５の上下両側の内壁の中には前記ゴミ空間２３と連通した上下対称の押し動かし空間２７が設置され、前記分離板１３の中には河道のゴミを前記ゴミ空間２３の中に移すゴミ転移機構１０８が設置され、前記ゴミ空間２３の中にはゴミ圧縮装置１０９が設置され、従って前記ゴミ空間２３の中に移されたゴミを絶えず圧縮して前記ゴミ空間２３の空間利用率を上げることができ、前記ゴミ回収船１２の頂端には回転できるゴミ回収管１１が設置され、前記ゴミ回収管１１の中には河道河床のゴミを吸い込んで前記分離空間１４の中に排出するゴミ収集装置１０１が設置され、前記動力空間２１の中には前記小型河道河床のごみ処理装置を駆動して絶えず行進させる行進装置１０５が設置されている。
【００１８】
前記ゴミ収集装置１０１は前記ゴミ回収管１１の中に設置されたゴミ吸入ポンプ３６が設置され、前記ゴミ回収管１１の中にはベルト空間３９が設置され、前記ベルト空間３９の中には前記ゴミ吸入ポンプ３６と伝動可能に連結された駆動軸３７が設置され、前記ベルト空間３９の底壁の中にはゴミ吸入モータ４１が設置され、前記駆動軸３７の底端が前記ゴミ吸入モータ４１と伝動可能に連結され、前記ベルト空間３９の底壁の中には引っ掛け取り空間４４が設置され、前記引っ掛け取り空間４４の中には縦向き軸４２が設置され、前記縦向き軸４２と前記駆動軸３７とが伝動ベルト３８によって動力を伝達し、前記縦向き軸４２の底端には吸入傘歯車４６が設置され、前記ゴミ回収管１１の中には七つの引っ掛け取り軸４７が円周方向に配列され、隣接した二つの前記引っ掛け取り軸４７がヒンジで繋がれ、前記引っ掛け取り軸４７の外壁には河床にくっついたゴミを引っ掛けて取り出す引っ掛け取り爪４３が設置され、また前記ゴミ回収管１１でゴミを前記分離空間１４の中に送り込み、前記引っ掛け取り軸４７のうち一つの前記引っ掛け取り軸４７の一端には前記引っ掛け取り空間４４の中に位置し且つ前記吸入傘歯車４６と噛み合った引っ掛け取り傘歯車４５が設置され、従って前記引っ掛け取り爪４３を回転連動させることができる。
【００１９】
前記動力系統１０２は前記動力空間２１の右壁の中に設置された動力機６８を含み、前記動力空間２１の中には動力軸６７が設置され、前記動力軸６７の右端が前記動力機６８と伝動可能に連結され、従って前記動力軸６７を回転連動させることができ、前記動力軸６７の左端には動力歯車６６が設置されている。
【００２０】
前記撹拌装置１０３は前記分離空間１４の中に設置された撹拌軸６４を含み、前記撹拌軸６４の頂端には前記分離空間１４の中に位置する撹拌棒１５が設置され、前記撹拌空間２０の中にはスライドできるスプライン軸５４がスライドできるように設置され、前記スプライン軸５４と前記撹拌軸６４とがスプラインにより連結され、前記スプライン軸５４の外壁には前記スプライン軸５４を逆方向へ回転連動させる逆方向傘歯車５３が設置され、前記スプライン軸５４の外壁には前記スプライン軸５４を正方向に回転連動させる正方向傘歯車６０が設置され、前記撹拌空間２０の中には伝動軸６５が設置され、前記伝動軸６５の左端には前記撹拌空間２０の中に位置し且つ前記正方向傘歯車６０と噛み合った撹拌傘歯車５５が設置され、且つ前記撹拌傘歯車５５は前記反方向傘歯車５３と噛み合うことができ、前記伝動軸６５の右端には前記動力空間２１の中に位置し且つ前記動力歯車６６と噛み合った伝動歯車７０が設置され、従って前記伝動軸６５を回転連動させることができる。
【００２１】
前記制御装置１０４は前記スプライン軸５４の外壁に回転可能に設置されたスライド板６１を含み、前記スライド板６１と前記撹拌空間２０の頂壁との間には押圧ばね６３が弾性を持つように設置され、従って前記スプライン軸５４を上下にスライド連動させることができ、従って前記撹拌傘歯車５５と前記逆方向傘歯車５３または前記正方向傘歯車６０との噛合を切り替え、前記伝動軸６５の外壁には前記撹拌空間２０の中に設置されたウォーム５６が設置され、前記撹拌空間２０の中には制御軸５８が設置され、前記制御軸５８の後端には前記ウォーム５６と噛み合ったウォームホイール５９が設置され、前記制御軸５８の前端には前記スライド板６１と接触したカム５７が設置され、従って前記スライド板６１を上下にスライド連動させることができる。
【００２２】
前記行進装置１０５は前記動力空間２１の中に設置された推進軸１８を含み、前記推進軸１８の左端には前記ゴミ回収船１２の外壁の外部に位置するスクリュープロペラ１７が設置され、従って前記小型河道河床のごみ処理装置の行進を押し動かすことができ、前記推進軸１８の右端には前記動力空間２１の中に位置する従動プーリ７３が設置され、前記伝動軸６５の外壁には前記動力空間２１の中に位置する主動プーリ６９が設置され、前記主動プーリ６９と前記従動プーリ７３との間には動力ベルト７１が伝動可能に設置され、従って前記推進軸１８を回転連動させることができる。
【００２３】
前記排水系統１０６は前記排水空間１９の中に設置された排水ポンプ４９を含み、前記排水ポンプ４９と前記分離空間１４とが前記進水管４８により連通され、前記排水ポンプ４９と前記小型河道河床のごみ処理装置の外部とが排水管１６により連通され、従って前記分離空間１４の中の水を前記小型河道河床のごみ処理装置の外部まで排出でき、前記排水空間１９の中には前記排水ポンプ４９と伝動可能に連結された排水軸５０が設置され、前記排水軸５０の底端には前記排水空間１９の中に位置する排水傘歯車５１が設置され、前記推進軸１８の外壁には前記排水空間１９の中に位置し且つ前記排水傘歯車５１と噛み合った伝動傘歯車５２が設置され、従って前記排水ポンプ４９の作動を駆動できる。
【００２４】
前記減速機構１０７は前記動力空間２１の中に設置された高速軸７４を含み、前記高速軸７４の左端には前記動力空間２１の中に設置され且つ前記伝動歯車７０と噛み合った減速歯車７２が設置され、前記高速軸７４の後端には前記減速空間２２の中に位置する太陽歯車７５が設置され、前記減速空間２２の中には低速軸７８が設置され、前記低速軸７８の左端には内リングギヤ７７が設置され、前記内リングギヤ７７と前記太陽歯車７５との間には遊星歯車７６が伝動可能に設置され、前記低速軸７８の右端には主動傘歯車７９が設置され、
前記ゴミ転移機構１０８は前記減速空間２２の中に設置された転移軸２４が設置され、前記転移軸２４の底端には前記減速空間２２の中に位置し且つ前記主動傘歯車７９と噛み合った従動傘歯車８０が設置され、従って前記転移軸２４の回転を駆動でき、前記転移軸２４の頂端には転移棒２５が設置され、前記分離空間１４の中にはゴミと水を分離できる分離板１３が設置され、従って前記転移棒２５は前記分離空間１４の中のゴミを前記ゴミ空間２３の中に移すことができる。
【００２５】
前記ゴミ圧縮装置１０９は前記ゴミ空間２３の中にスライド可能に設置された圧縮板２６を含み、前記押し動かし空間２７の中には圧縮軸３０が設置され、前記圧縮軸３０の前後両端には対称となった回転盤２８が設置され、前記回転盤２８の外側端壁と前記圧縮板２６とが圧縮連結棒２９によりヒンジで繋がれ、従って前記圧縮板２６をスライド連動させることができ、従って前記ゴミ空間２３の中のゴミを絶えず圧縮し、前記圧縮軸３０の外壁には圧縮傘歯車３１が設置され、前記延伸空間３５の中には延伸軸３３が設置され、前記延伸軸３３の上下両端には前記押し動かし空間２７に位置し且つ前記圧縮傘歯車３１と噛み合った延伸傘歯車３２が設置され、従って前記圧縮軸３０を回転連動させることができ、前記延伸軸３３の外壁には前記延伸空間３５の中に位置する従動歯車３４が設置され、前記転移軸２４の外壁には前記延伸空間３５の中に設置され且つ前記従動歯車３４と噛み合った主動歯車８１が設置され、従って前記延伸軸３３の回転を駆動できる。
【００２６】
下記に図面を合わせて本願発明を使用手順を詳しく説明する。
前記小型河道河床のごみ処理装置を使用する時、ゴミ吸入モータ４１が作動して駆動軸３７によりゴミ吸入ポンプ３６を作動連動させ、従って河道河床のゴミをゴミ回収管１１により吸入すると同時に、駆動軸３７が伝動ベルト３８により縦向き軸４２を回転連動させ、従って吸入傘歯車４６と、引っ掛け取り傘歯車４５と、引っ掛け取り軸４７とが引っ掛け取り爪４３を回転連動させ、従って河床にくっついたゴミを前記ゴミ回収管１１の中に送り込み、吸入されたゴミが分離空間１４の中に送られて分離板１３により河水と分離される。
同時に、動力機６８が作動し始まって動力軸６７と、動力歯車６６と、伝動歯車７０とにより伝動軸６５を回転連動させ、従って主動プーリ６９と、ウォーム５６と、撹拌傘歯車５５とが回転し、主動プーリ６９が従動プーリ７３と推進軸１８とによってスクリュープロペラ１７を回転連動させ、従って前記小型河道河床のごみ処理装置を前に進ませると同時に、ウォーム５６がウォームホイール５９と、制御軸５８とによりカム５７を回転連動させ、従ってスライド板６１とスプライン軸５４とが正方向傘歯車６０と逆方向傘歯車５３を連動させて上下にスライドさせ、従って正方向傘歯車６０または逆方向傘歯車５３が撹拌傘歯車５５と噛み合い、従って撹拌傘歯車５５が正方向傘歯車６０または逆方向傘歯車５３によりスプライン軸５４を回転連動させ、従って撹拌軸６４が撹拌棒１５を正方向または逆方向に回転させ、従って分離空間１４の中の沈泥が沈殿することを防止すると同時に、推進軸１８が伝動傘歯車５２と、排水傘歯車５１と、排水軸５０とにより排水ポンプ４９を作動連動させ、従って分離空間１４の中の河水を前記小型河道河床のごみ処理装置の外部まで排出する。
同時に、減速歯車７２が高速軸７４と、太陽歯車４５と、遊星歯車７６と、内リングギヤ７７と、低速軸７８と、主動傘歯車７９と、従動傘歯車８０と転移軸２４とにより転移棒２５を回転連動させ、従ってゴミがゴミ空間２３の中に移されると同時に、転移軸２４が主動歯車８１と、従動歯車３４と、延伸軸３３と、延伸傘歯車３２と、圧縮傘歯車３１と、圧縮軸３０と、回転盤２８と圧縮連結棒２９とにより圧縮板２６を左右にスライド連動させ、従ってゴミ空間２３の中のゴミを絶えず圧縮する。
【００２７】
以上に本発明の基本原理、主な特徴と本発明の長所を表明し説明した。本業界の技術者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の権利要求書と同等内容に画定される。
【図１】
2020196425.tif 000003
【図２】
2020196425.tif 000004
【図３】
2020196425.tif 000005
【図４】
2020196425.tif 000006
【図５】
2020196425.tif 000007
【図６】
2020196425.tif 000008
【手続補正書】
【提出日】令和2年9月28日(2020.9.28)
【手続補正１】
【補正対象書類名】特許請求の範囲
【補正対象項目名】全文
【補正方法】変更
【補正の内容】
【特許請求の範囲】
【請求項１】
小型河道河床のごみ処理装置であって、ゴミ回収船を含み、前記ゴミ回収船の中には分離空間が設置され、
前記分離空間の中には撹拌装置が設置され、前記分離空間の底壁の中には撹拌空間が設置され、前記撹拌空間の中には前記撹拌装置の回転方向を制御できる制御装置が設置され、動力空間の左側壁の中には排水空間が設置され、前記排水空間の中には排水系統が設置され、
前記撹拌空間の右壁の中には動力空間が設置され、前記動力空間の右壁の中には減速空間が設置され、前記動力空間の中には前記小型河道河床のごみ処理装置の持続作動を駆動する動力系統が設置され、前記減速空間の中には減速機構が設置され、前記分離空間の内部の右壁の中にはゴミ空間が設置され、前記ゴミ空間において前記分離空間に近接した片側壁の中には延伸空間が設置され、前記延伸空間の上下両側の内壁の中には前記ゴミ空間と連通した上下対称の押し動かし空間が設置され、
前記分離板の中には河道のゴミを前記ゴミ空間の中に移すゴミ転移機構が設置され、前記ゴミ空間の中にはゴミ圧縮装置が設置され、前記ゴミ回収船の頂端には回転できるゴミ回収管が設置され、前記ゴミ回収管の中には河道河床のゴミを吸い込んで前記分離空間の中に排出するゴミ収集装置が設置され、
前記動力空間の中には前記小型河道河床のごみ処理装置を駆動して絶えず行進させる行進装置が設置されており、
前記ゴミ収集装置は前記ゴミ回収管の中に設置されたゴミ吸入ポンプが設置され、前記ゴミ回収管の中にはベルト空間が設置され、前記ベルト空間の中には前記ゴミ吸入ポンプと伝動可能に連結された駆動軸が設置され、前記ベルト空間の底壁の中にはゴミ吸入モータが設置され、前記駆動軸の底端が前記ゴミ吸入モータと伝動可能に連結され、
前記ベルト空間の底壁の中には引っ掛け取り空間が設置され、前記引っ掛け取り空間の中には縦向き軸が設置され、前記縦向き軸と前記駆動軸とが伝動ベルトによって動力を伝達し、前記縦向き軸の底端には吸入傘歯車が設置され、前記ゴミ回収管の中には七つの引っ掛け取り軸が円周方向に配列され、隣接した二つの前記引っ掛け取り軸がヒンジで繋がれ、前記引っ掛け取り軸の外壁には河床にくっついたゴミを引っ掛けて取り出す引っ掛け取り爪が設置され、前記引っ掛け取り軸のうち一つの前記引っ掛け取り軸の一端には前記引っ掛け取り空間の中に位置し且つ前記吸入傘歯車と噛み合った引っ掛け取り傘歯車が設置されており、
前記動力系統は前記動力空間の右壁の中に設置された動力機を含み、前記動力空間の中には動力軸が設置され、前記動力軸の右端が前記動力機と伝動可能に連結され、前記動力軸の左端には動力歯車が設置されており、
前記撹拌装置は前記分離空間の中に設置された撹拌軸を含み、前記撹拌軸の頂端には前記分離空間の中に位置する撹拌棒が設置され、
前記撹拌空間の中にはスライドできるスプライン軸がスライドできるように設置され、前記スプライン軸と前記撹拌軸とがスプラインにより連結され、前記スプライン軸の外壁には前記スプライン軸を逆方向へ回転連動させる逆方向傘歯車が設置され、前記スプライン軸の外壁には前記スプライン軸を正方向に回転連動させる正方向傘歯車が設置され、前記撹拌空間の中には伝動軸が設置され、前記伝動軸の左端には前記撹拌空間の中に位置し且つ前記正方向傘歯車と噛み合った撹拌傘歯車が設置され、且つ前記撹拌傘歯車は前記逆方向傘歯車と噛み合うことができ、前記伝動軸の右端には前記動力空間の中に位置し且つ前記動力歯車と噛み合った伝動歯車が設置されており、
前記制御装置は前記スプライン軸の外壁に回転可能に設置されたスライド板を含み、前記スライド板と前記撹拌空間の頂壁との間には押圧ばねが弾性を持つように設置され、前記伝動軸の外壁には前記撹拌空間の中に設置されたウォームが設置され、前記撹拌空間の中には制御軸が設置され、前記制御軸の後端には前記ウォームと噛み合ったウォームホイールが設置され、前記制御軸の前端には前記スライド板と接触したカムが設置されており、
前記行進装置は前記動力空間の中に設置された推進軸を含み、前記推進軸の左端には前記ゴミ回収船の外壁の外部に位置するスクリュープロペラが設置され、
前記推進軸の右端には前記動力空間の中に位置する従動プーリが設置され、前記伝動軸の外壁には前記動力空間の中に位置する主動プーリが設置され、前記主動プーリと前記従動プーリとの間には動力ベルトが伝動可能に設置されており、
前記排水系統は前記排水空間の中に設置された排水ポンプを含み、前記排水ポンプと前記分離空間とが進水管により連通され、前記排水ポンプと前記小型河道河床のごみ処理装置の外部とが排水管により連通され、
前記排水空間の中には前記排水ポンプと伝動可能に連結された排水軸が設置され、前記排水軸の底端には前記排水空間の中に位置する排水傘歯車が設置され、前記推進軸の外壁には前記排水空間の中に位置し且つ前記排水傘歯車と噛み合った伝動傘歯車が設置されており、
前記減速機構は前記動力空間の中に設置された高速軸を含み、前記高速軸の左端には前記動力空間の中に設置され且つ前記伝動歯車と噛み合った減速歯車が設置され、前記高速軸の後端には前記減速空間の中に位置する太陽歯車が設置され、前記減速空間の中には低速軸が設置され、前記低速軸の左端には内リングギヤが設置され、前記内リングギヤと前記太陽歯車との間には遊星歯車が伝動可能に設置され、前記低速軸の右端には主動傘歯車が設置され、
前記ゴミ転移機構は前記減速空間の中に設置された転移軸が設置され、前記転移軸の底端には前記減速空間の中に位置し且つ前記主動傘歯車と噛み合った従動傘歯車が設置され、前記転移軸の頂端には転移棒が設置され、前記分離空間の中にはゴミと水を分離できる分離板が設置されていることを特徴とする小型河道河床のごみ処理装置。
【請求項２】
前記ゴミ圧縮装置は前記ゴミ空間の中にスライド可能に設置された圧縮板を含み、前記押し動かし空間の中には圧縮軸が設置され、前記圧縮軸の前後両端には対称となった回転盤が設置され、前記回転盤の外側端壁と前記圧縮板とが圧縮連結棒によりヒンジで繋がれ、前記圧縮軸の外壁には圧縮傘歯車が設置され、
前記延伸空間の中には延伸軸が設置され、前記延伸軸の上下両端には前記押し動かし空間に位置し且つ前記圧縮傘歯車と噛み合った延伸傘歯車が設置され、前記延伸軸の外壁には前記延伸空間の中に位置する従動歯車が設置され、前記転移軸の外壁には前記延伸空間の中に設置され且つ前記従動歯車と噛み合った主動歯車が設置されていることを特徴とする請求項１に記載の小型河道河床のごみ処理装置。
【手続補正２】
【補正対象書類名】明細書
【補正対象項目名】全文
【補正方法】変更
【補正の内容】
【発明の詳細な説明】
【技術分野】
【０００１】
本願発明は河道整理分野に関し、具体的には小型河道河床のごみ処理装置。
【背景技術】
【０００２】
社会の発展につれて、生態環境に対する要求もどんどん増えてゆき、しかし、都市と田舎の河道には常に大量なゴミが漂い、河道環境に厳重な影響を与える上に河道内の水質を汚染する。現在河道内のゴミ処理を人力で行うのはほとんどであるが、処理面積が小さく、効率が低く、しかも作業強度がひどい。現有の河道整理機械は効率が高いが、河道上のゴミが常に河道の河床にくっつくため整理しにくく、整理効果が望ましくない。従い、本願発明は河道河床のゴミを整理できる小型河道河床のごみ処理装置を設計する。
【先行技術文献】
【特許文献】
【０００３】
【特許文献１】中国特許出願公開第１０９１８３７５２号明細書
【発明の概要】
【発明が解決しようとする課題】
【０００４】
技術問題：
河道のごみ処理は効率が低下し、労働強度が大きく、しかも効果も望ましくない。
【課題を解決するための手段】
【０００５】
小型河道河床のごみ処理装置であって、ゴミ回収船を含み、前記ゴミ回収船の中には分離空間が設置され、前記分離空間の中には撹拌装置が設置され、従って前記分離空間の中の水溶液を絶えず撹拌することで前記分離空間の中の沈泥が沈殿することを防止でき、前記分離空間の底壁の中には撹拌空間が設置され、前記撹拌空間の中には前記撹拌装置の回転方向を制御できる制御装置が設置され、従って前記攪拌装置が一つの方向にしか回転しない時に前記分離空間の中の沈泥が四周に沈殿することを防止でき、動力空間の左側壁の中には排水空間が設置され、前記排水空間の中には排水系統が設置され、従って前記分離空間の中の水溶液を排出して前記小型河道河床のごみ処理装置を持続的に作動させることができ、前記撹拌空間の右壁の中には動力空間が設置され、前記動力空間の右壁の中には減速空間が設置され、前記動力空間の中には前記小型河道河床のごみ処理装置の持続作動を駆動する動力系統が設置され、前記減速空間の中には減速機構が設置され、従って前記動力系統から生じた動力によって回転速度を下げてトルクを上げることができ、前記分離空間の内部の右壁の中にはゴミ空間が設置され、前記ゴミ空間において前記分離空間に近接した片側壁の中には延伸空間が設置され、前記延伸空間の上下両側の内壁の中には前記ゴミ空間と連通した上下対称の押し動かし空間が設置され、前記分離板の中には河道のゴミを前記ゴミ空間の中に移すゴミ転移機構が設置され、前記ゴミ空間の中にはゴミ圧縮装置が設置され、従って前記ゴミ空間の中に移されたゴミを絶えず圧縮して前記ゴミ空間の空間利用率を上げることができ、前記ゴミ回収船の頂端には回転できるゴミ回収管が設置され、前記ゴミ回収管の中には河道河床のゴミを吸い込んで前記分離空間の中に排出するゴミ収集装置が設置され、前記動力空間の中には前記小型河道河床のごみ処理装置を駆動して絶えず行進させる行進装置が設置されている。
【０００６】
前記ゴミ収集装置は前記ゴミ回収管の中に設置されたゴミ吸入ポンプが設置され、前記ゴミ回収管の中にはベルト空間が設置され、前記ベルト空間の中には前記ゴミ吸入ポンプと伝動可能に連結された駆動軸が設置され、前記ベルト空間の底壁の中にはゴミ吸入モータが設置され、前記駆動軸の底端が前記ゴミ吸入モータと伝動可能に連結され、前記ベルト空間の底壁の中には引っ掛け取り空間が設置され、前記引っ掛け取り空間の中には縦向き軸が設置され、前記縦向き軸と前記駆動軸とが伝動ベルトによって動力を伝達し、前記縦向き軸の底端には吸入傘歯車が設置され、前記ゴミ回収管の中には七つの引っ掛け取り軸が円周方向に配列され、隣接した二つの前記引っ掛け取り軸がヒンジで繋がれ、前記引っ掛け取り軸の外壁には河床にくっついたゴミを引っ掛けて取り出す引っ掛け取り爪が設置され、また前記ゴミ回収管でゴミを前記分離空間の中に送り込み、前記引っ掛け取り軸のうち一つの前記引っ掛け取り軸の一端には前記引っ掛け取り空間の中に位置し且つ前記吸入傘歯車と噛み合った引っ掛け取り傘歯車が設置され、従って前記引っ掛け取り爪を回転連動させることができる。
【０００７】
前記動力系統は前記動力空間の右壁の中に設置された動力機を含み、前記動力空間の中には動力軸が設置され、前記動力軸の右端が前記動力機と伝動可能に連結され、従って前記動力軸を回転連動させることができ、前記動力軸の左端には動力歯車が設置されている。
【０００８】
前記撹拌装置は前記分離空間の中に設置された撹拌軸を含み、前記撹拌軸の頂端には前記分離空間の中に位置する撹拌棒が設置され、前記撹拌空間の中にはスライドできるスプライン軸がスライドできるように設置され、前記スプライン軸と前記撹拌軸とがスプラインにより連結され、前記スプライン軸の外壁には前記スプライン軸を逆方向へ回転連動させる逆方向傘歯車が設置され、前記スプライン軸の外壁には前記スプライン軸を正方向に回転連動させる正方向傘歯車が設置され、前記撹拌空間の中には伝動軸が設置され、前記伝動軸の左端には前記撹拌空間の中に位置し且つ前記正方向傘歯車と噛み合った撹拌傘歯車が設置され、且つ前記撹拌傘歯車は前記逆方向傘歯車と噛み合うことができ、前記伝動軸の右端には前記動力空間の中に位置し且つ前記動力歯車と噛み合った伝動歯車が設置され、従って前記伝動軸を回転連動させることができる。
【０００９】
前記制御装置は前記スプライン軸の外壁に回転可能に設置されたスライド板を含み、前記スライド板と前記撹拌空間の頂壁との間には押圧ばねが弾性を持つように設置され、従って前記スプライン軸を上下にスライド連動させることができ、従って前記撹拌傘歯車と前記逆方向傘歯車または前記正方向傘歯車との噛合を切り替え、前記伝動軸の外壁には前記撹拌空間の中に設置されたウォームが設置され、前記撹拌空間の中には制御軸が設置され、前記制御軸の後端には前記ウォームと噛み合ったウォームホイールが設置され、前記制御軸の前端には前記スライド板と接触したカムが設置され、従って前記スライド板を上下にスライド連動させることができる。
【００１０】
前記行進装置は前記動力空間の中に設置された推進軸を含み、前記推進軸の左端には前記ゴミ回収船の外壁の外部に位置するスクリュープロペラが設置され、従って前記小型河道河床のごみ処理装置の行進を押し動かすことができ、前記推進軸の右端には前記動力空間の中に位置する従動プーリが設置され、前記伝動軸の外壁には前記動力空間の中に位置する主動プーリが設置され、前記主動プーリと前記従動プーリとの間には動力ベルトが伝動可能に設置され、従って前記推進軸を回転連動させることができる。
【００１１】
前記排水系統は前記排水空間の中に設置された排水ポンプを含み、前記排水ポンプと前記分離空間とが進水管により連通され、前記排水ポンプと前記小型河道河床のごみ処理装置の外部とが排水管により連通され、従って前記分離空間の中の水を前記小型河道河床のごみ処理装置の外部まで排出でき、前記排水空間の中には前記排水ポンプと伝動可能に連結された排水軸が設置され、前記排水軸の底端には前記排水空間の中に位置する排水傘歯車が設置され、前記推進軸の外壁には前記排水空間の中に位置し且つ前記排水傘歯車と噛み合った伝動傘歯車が設置され、従って前記排水ポンプの作動を駆動できる。
【００１２】
前記減速機構は前記動力空間の中に設置された高速軸を含み、前記高速軸の左端には前記動力空間の中に設置され且つ前記伝動歯車と噛み合った減速歯車が設置され、前記高速軸の後端には前記減速空間の中に位置する太陽歯車が設置され、前記減速空間の中には低速軸が設置され、前記低速軸の左端には内リングギヤが設置され、前記内リングギヤと前記太陽歯車との間には遊星歯車が伝動可能に設置され、前記低速軸の右端には主動傘歯車が設置され、
前記ゴミ転移機構は前記減速空間の中に設置された転移軸が設置され、前記転移軸の底端には前記減速空間の中に位置し且つ前記主動傘歯車と噛み合った従動傘歯車が設置され、従って前記転移軸の回転を駆動でき、前記転移軸の頂端には転移棒が設置され、前記分離空間の中にはゴミと水を分離できる分離板が設置され、従って前記転移棒は前記分離空間の中のゴミを前記ゴミ空間の中に移すことができる。
【００１３】
前記ゴミ圧縮装置は前記ゴミ空間の中にスライド可能に設置された圧縮板を含み、前記押し動かし空間の中には圧縮軸が設置され、前記圧縮軸の前後両端には対称となった回転盤が設置され、前記回転盤の外側端壁と前記圧縮板とが圧縮連結棒によりヒンジで繋がれ、従って前記圧縮板をスライド連動させることができ、従って前記ゴミ空間の中のゴミを絶えず圧縮し、前記圧縮軸の外壁には圧縮傘歯車が設置され、前記延伸空間の中には延伸軸が設置され、前記延伸軸の上下両端には前記押し動かし空間に位置し且つ前記圧縮傘歯車と噛み合った延伸傘歯車が設置され、従って前記圧縮軸を回転連動させることができ、前記延伸軸の外壁には前記延伸空間の中に位置する従動歯車が設置され、前記転移軸の外壁には前記延伸空間の中に設置され且つ前記従動歯車と噛み合った主動歯車が設置され、従って前記延伸軸の回転を駆動できる。
【発明の効果】
【００１４】
本願発明の有益効果は：本願発明は構造が簡単で、操作とメンテナンスが便利で、本願発明の設備は高速に河道内のごみを設備の内部に回収でき、また河床にくっついたごみをきれいに整理でき、河道ゴミの処理効果を改善し、しかも本願発明は作動を自動化され、作動途中に作業員の操作をいらず、作用員の仕事強度を下げ、河道ゴミの処理効率を上げ、使用価値と宣伝価値に優れる。
【図面の簡単な説明】
【００１５】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の小型河道河床のごみ処理装置の全体構成図
【図２】図２は図１におけるＡ―Ａの構成図
【図３】図３は図１におけるＢ―Ｂの構成図
【図４】図４は図２における引っ掛け取り爪のところの正面断面構造概略図
【図５】図５は図１におけるＤの構成図
【図６】図６は図１におけるＥの構成図
【発明を実施するための形態】
【００１７】
本願発明は小型河道河床のごみ処理装置に関し、主に都市と田舎の小型河道内のごみ処理作業に適用され、下記に明細書図面を合わせて本願発明を更に説明する。
小型河道河床のごみ処理装置であって、ゴミ回収船１２を含み、前記ゴミ回収船１２の中には分離空間１４が設置され、前記分離空間１４の中には撹拌装置１０３が設置され、従って前記分離空間１４の中の水溶液を絶えず撹拌することで前記分離空間１４の中の沈泥が沈殿することを防止でき、前記分離空間１４の底壁の中には撹拌空間２０が設置され、前記撹拌空間２０の中には前記撹拌装置１０３の回転方向を制御できる制御装置１０４が設置され、従って前記攪拌装置１０３が一つの方向にしか回転しない時に前記分離空間１４の中の沈泥が四周に沈殿することを防止でき、動力空間２１の左側壁の中には排水空間１９が設置され、前記排水空間１９の中には排水系統１０６が設置され、従って前記分離空間１４の中の水溶液を排出して前記小型河道河床のごみ処理装置を持続的に作動させることができ、前記撹拌空間２０の右壁の中には動力空間２１が設置され、前記動力空間２１の右壁の中には減速空間２２が設置され、前記動力空間２１の中には前記小型河道河床のごみ処理装置の持続作動を駆動する動力系統１０２が設置され、前記減速空間２２の中には減速機構１０７が設置され、従って前記動力系統１０２から生じた動力によって回転速度を下げてトルクを上げることができ、前記分離空間１４の内部の右壁の中にはゴミ空間２３が設置され、前記ゴミ空間２３において前記分離空間１４に近接した片側壁の中には延伸空間３５が設置され、前記延伸空間３５の上下両側の内壁の中には前記ゴミ空間２３と連通した上下対称の押し動かし空間２７が設置され、前記分離板１３の中には河道のゴミを前記ゴミ空間２３の中に移すゴミ転移機構１０８が設置され、前記ゴミ空間２３の中にはゴミ圧縮装置１０９が設置され、従って前記ゴミ空間２３の中に移されたゴミを絶えず圧縮して前記ゴミ空間２３の空間利用率を上げることができ、前記ゴミ回収船１２の頂端には回転できるゴミ回収管１１が設置され、前記ゴミ回収管１１の中には河道河床のゴミを吸い込んで前記分離空間１４の中に排出するゴミ収集装置１０１が設置され、前記動力空間２１の中には前記小型河道河床のごみ処理装置を駆動して絶えず行進させる行進装置１０５が設置されている。
【００１８】
前記ゴミ収集装置１０１は前記ゴミ回収管１１の中に設置されたゴミ吸入ポンプ３６が設置され、前記ゴミ回収管１１の中にはベルト空間３９が設置され、前記ベルト空間３９の中には前記ゴミ吸入ポンプ３６と伝動可能に連結された駆動軸３７が設置され、前記ベルト空間３９の底壁の中にはゴミ吸入モータ４１が設置され、前記駆動軸３７の底端が前記ゴミ吸入モータ４１と伝動可能に連結され、前記ベルト空間３９の底壁の中には引っ掛け取り空間４４が設置され、前記引っ掛け取り空間４４の中には縦向き軸４２が設置され、前記縦向き軸４２と前記駆動軸３７とが伝動ベルト３８によって動力を伝達し、前記縦向き軸４２の底端には吸入傘歯車４６が設置され、前記ゴミ回収管１１の中には七つの引っ掛け取り軸４７が円周方向に配列され、隣接した二つの前記引っ掛け取り軸４７がヒンジで繋がれ、前記引っ掛け取り軸４７の外壁には河床にくっついたゴミを引っ掛けて取り出す引っ掛け取り爪４３が設置され、また前記ゴミ回収管１１でゴミを前記分離空間１４の中に送り込み、前記引っ掛け取り軸４７のうち一つの前記引っ掛け取り軸４７の一端には前記引っ掛け取り空間４４の中に位置し且つ前記吸入傘歯車４６と噛み合った引っ掛け取り傘歯車４５が設置され、従って前記引っ掛け取り爪４３を回転連動させることができる。
【００１９】
前記動力系統１０２は前記動力空間２１の右壁の中に設置された動力機６８を含み、前記動力空間２１の中には動力軸６７が設置され、前記動力軸６７の右端が前記動力機６８と伝動可能に連結され、従って前記動力軸６７を回転連動させることができ、前記動力軸６７の左端には動力歯車６６が設置されている。
【００２０】
前記撹拌装置１０３は前記分離空間１４の中に設置された撹拌軸６４を含み、前記撹拌軸６４の頂端には前記分離空間１４の中に位置する撹拌棒１５が設置され、前記撹拌空間２０の中にはスライドできるスプライン軸５４がスライドできるように設置され、前記スプライン軸５４と前記撹拌軸６４とがスプラインにより連結され、前記スプライン軸５４の外壁には前記スプライン軸５４を逆方向へ回転連動させる逆方向傘歯車５３が設置され、前記スプライン軸５４の外壁には前記スプライン軸５４を正方向に回転連動させる正方向傘歯車６０が設置され、前記撹拌空間２０の中には伝動軸６５が設置され、前記伝動軸６５の左端には前記撹拌空間２０の中に位置し且つ前記正方向傘歯車６０と噛み合った撹拌傘歯車５５が設置され、且つ前記撹拌傘歯車５５は前記逆方向傘歯車５３と噛み合うことができ、前記伝動軸６５の右端には前記動力空間２１の中に位置し且つ前記動力歯車６６と噛み合った伝動歯車７０が設置され、従って前記伝動軸６５を回転連動させることができる。
【００２１】
前記制御装置１０４は前記スプライン軸５４の外壁に回転可能に設置されたスライド板６１を含み、前記スライド板６１と前記撹拌空間２０の頂壁との間には押圧ばね６３が弾性を持つように設置され、従って前記スプライン軸５４を上下にスライド連動させることができ、従って前記撹拌傘歯車５５と前記逆方向傘歯車５３または前記正方向傘歯車６０との噛合を切り替え、前記伝動軸６５の外壁には前記撹拌空間２０の中に設置されたウォーム５６が設置され、前記撹拌空間２０の中には制御軸５８が設置され、前記制御軸５８の後端には前記ウォーム５６と噛み合ったウォームホイール５９が設置され、前記制御軸５８の前端には前記スライド板６１と接触したカム５７が設置され、従って前記スライド板６１を上下にスライド連動させることができる。
【００２２】
前記行進装置１０５は前記動力空間２１の中に設置された推進軸１８を含み、前記推進軸１８の左端には前記ゴミ回収船１２の外壁の外部に位置するスクリュープロペラ１７が設置され、従って前記小型河道河床のごみ処理装置の行進を押し動かすことができ、前記推進軸１８の右端には前記動力空間２１の中に位置する従動プーリ７３が設置され、前記伝動軸６５の外壁には前記動力空間２１の中に位置する主動プーリ６９が設置され、前記主動プーリ６９と前記従動プーリ７３との間には動力ベルト７１が伝動可能に設置され、従って前記推進軸１８を回転連動させることができる。
【００２３】
前記排水系統１０６は前記排水空間１９の中に設置された排水ポンプ４９を含み、前記排水ポンプ４９と前記分離空間１４とが進水管４８により連通され、前記排水ポンプ４９と前記小型河道河床のごみ処理装置の外部とが排水管１６により連通され、従って前記分離空間１４の中の水を前記小型河道河床のごみ処理装置の外部まで排出でき、前記排水空間１９の中には前記排水ポンプ４９と伝動可能に連結された排水軸５０が設置され、前記排水軸５０の底端には前記排水空間１９の中に位置する排水傘歯車５１が設置され、前記推進軸１８の外壁には前記排水空間１９の中に位置し且つ前記排水傘歯車５１と噛み合った伝動傘歯車５２が設置され、従って前記排水ポンプ４９の作動を駆動できる。
【００２４】
前記減速機構１０７は前記動力空間２１の中に設置された高速軸７４を含み、前記高速軸７４の左端には前記動力空間２１の中に設置され且つ前記伝動歯車７０と噛み合った減速歯車７２が設置され、前記高速軸７４の後端には前記減速空間２２の中に位置する太陽歯車７５が設置され、前記減速空間２２の中には低速軸７８が設置され、前記低速軸７８の左端には内リングギヤ７７が設置され、前記内リングギヤ７７と前記太陽歯車７５との間には遊星歯車７６が伝動可能に設置され、前記低速軸７８の右端には主動傘歯車７９が設置され、
前記ゴミ転移機構１０８は前記減速空間２２の中に設置された転移軸２４が設置され、前記転移軸２４の底端には前記減速空間２２の中に位置し且つ前記主動傘歯車７９と噛み合った従動傘歯車８０が設置され、従って前記転移軸２４の回転を駆動でき、前記転移軸２４の頂端には転移棒２５が設置され、前記分離空間１４の中にはゴミと水を分離できる分離板１３が設置され、従って前記転移棒２５は前記分離空間１４の中のゴミを前記ゴミ空間２３の中に移すことができる。
【００２５】
前記ゴミ圧縮装置１０９は前記ゴミ空間２３の中にスライド可能に設置された圧縮板２６を含み、前記押し動かし空間２７の中には圧縮軸３０が設置され、前記圧縮軸３０の前後両端には対称となった回転盤２８が設置され、前記回転盤２８の外側端壁と前記圧縮板２６とが圧縮連結棒２９によりヒンジで繋がれ、従って前記圧縮板２６をスライド連動させることができ、従って前記ゴミ空間２３の中のゴミを絶えず圧縮し、前記圧縮軸３０の外壁には圧縮傘歯車３１が設置され、前記延伸空間３５の中には延伸軸３３が設置され、前記延伸軸３３の上下両端には前記押し動かし空間２７に位置し且つ前記圧縮傘歯車３１と噛み合った延伸傘歯車３２が設置され、従って前記圧縮軸３０を回転連動させることができ、前記延伸軸３３の外壁には前記延伸空間３５の中に位置する従動歯車３４が設置され、前記転移軸２４の外壁には前記延伸空間３５の中に設置され且つ前記従動歯車３４と噛み合った主動歯車８１が設置され、従って前記延伸軸３３の回転を駆動できる。
【００２６】
下記に図面を合わせて本願発明を使用手順を詳しく説明する。
前記小型河道河床のごみ処理装置を使用する時、ゴミ吸入モータ４１が作動して駆動軸３７によりゴミ吸入ポンプ３６を作動連動させ、従って河道河床のゴミをゴミ回収管１１により吸入すると同時に、駆動軸３７が伝動ベルト３８により縦向き軸４２を回転連動させ、従って吸入傘歯車４６と、引っ掛け取り傘歯車４５と、引っ掛け取り軸４７とが引っ掛け取り爪４３を回転連動させ、従って河床にくっついたゴミを前記ゴミ回収管１１の中に送り込み、吸入されたゴミが分離空間１４の中に送られて分離板１３により河水と分離される。
同時に、動力機６８が作動し始まって動力軸６７と、動力歯車６６と、伝動歯車７０とにより伝動軸６５を回転連動させ、従って主動プーリ６９と、ウォーム５６と、撹拌傘歯車５５とが回転し、主動プーリ６９が従動プーリ７３と推進軸１８とによってスクリュープロペラ１７を回転連動させ、従って前記小型河道河床のごみ処理装置を前に進ませると同時に、ウォーム５６がウォームホイール５９と、制御軸５８とによりカム５７を回転連動させ、従ってスライド板６１とスプライン軸５４とが正方向傘歯車６０と逆方向傘歯車５３を連動させて上下にスライドさせ、従って正方向傘歯車６０または逆方向傘歯車５３が撹拌傘歯車５５と噛み合い、従って撹拌傘歯車５５が正方向傘歯車６０または逆方向傘歯車５３によりスプライン軸５４を回転連動させ、従って撹拌軸６４が撹拌棒１５を正方向または逆方向に回転させ、従って分離空間１４の中の沈泥が沈殿することを防止すると同時に、推進軸１８が伝動傘歯車５２と、排水傘歯車５１と、排水軸５０とにより排水ポンプ４９を作動連動させ、従って分離空間１４の中の河水を前記小型河道河床のごみ処理装置の外部まで排出する。
同時に、減速歯車７２が高速軸７４と、太陽歯車４５と、遊星歯車７６と、内リングギヤ７７と、低速軸７８と、主動傘歯車７９と、従動傘歯車８０と転移軸２４とにより転移棒２５を回転連動させ、従ってゴミがゴミ空間２３の中に移されると同時に、転移軸２４が主動歯車８１と、従動歯車３４と、延伸軸３３と、延伸傘歯車３２と、圧縮傘歯車３１と、圧縮軸３０と、回転盤２８と圧縮連結棒２９とにより圧縮板２６を左右にスライド連動させ、従ってゴミ空間２３の中のゴミを絶えず圧縮する。
【００２７】
以上に本発明の基本原理、主な特徴と本発明の長所を表明し説明した。本業界の技術者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の権利要求書と同等内容に画定される。
【手続補正３】
【補正対象書類名】図面
【補正対象項目名】図２
【補正方法】変更
【補正の内容】
【図２】
2020196425.tif 000009